【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
冷却風を吐き出す羽根車と、
上記羽根車を取り囲むように配置され、発熱源との熱交換により加熱された液状冷媒が流れる冷媒通路と、上記冷媒通路に熱的に接続された複数の放熱フィンとを有する放熱体と、
上記羽根車および上記放熱体を収容するとともに、上記放熱体を冷却した冷却風を排出する少なくとも一つの吐出口を有するケースと、を具備したことを特徴とする放熱器。
【請求項２】
請求項１の記載において、上記ケースは、上記羽根車の回転中心部に空気を導く吸込口と、上記放熱体を取り囲むとともに、この放熱体を通過した冷却風を集める渦巻き室とを有し、上記羽根車は上記渦巻き室に対し偏心していることを特徴とする放熱器。
【請求項３】
冷却風を吐き出す羽根車と、
上記羽根車を収容するとともに、上記冷却風を排出する少なくとも一つの吐出口が形成された周壁を有するケースと、
上記羽根車と上記ケースの周壁との間に配置され、上記羽根車を取り囲むとともに発熱源との熱交換により加熱された液状冷媒が流れる冷媒通路と、
上記冷媒通路に熱的に接続され、上記羽根車と上記ケースの周壁との間に介在された複数の放熱フィンと、を具備したことを特徴とする放熱器。
【請求項４】
請求項３の記載において、上記ケースは、上記羽根車から吐き出される冷却風を集める渦巻き室を有し、上記冷媒通路および上記放熱フィンは、上記渦巻き室に配置されていることを特徴とする放熱器。
【請求項５】
請求項４の記載において、上記ケースは、上記羽根車の回転中心部に空気を導く吸込口を有することを特徴とする放熱器。
【請求項６】
発熱源に熱的に接続される受熱部と、
上記発熱源の熱を放出する放熱部と、
上記受熱部と上記放熱部との間で液状冷媒を循環させる循環経路と、を具備し、
上記放熱部は、
冷却風を吐き出す羽根車と、
上記羽根車を取り囲むように配置され、上記発熱源との熱交換により加熱された液状冷媒が流れる冷媒通路と、上記冷媒通路に熱的に接続された複数の放熱フィンとを有する放熱体と、
上記羽根車および上記放熱体を収容するとともに、上記放熱体を冷却した冷却風を排出する少なくとも一つの吐出口を有するケースと、を備えていることを特徴とする冷却装置。
【請求項７】
発熱源に熱的に接続される受熱部と、
上記発熱源の熱を放出する放熱部と、
上記受熱部と上記放熱部との間で液状冷媒を循環させる循環経路と、を具備し、
上記放熱部は、
冷却風を吐き出す羽根車と、
上記羽根車を収容するとともに、上記冷却風を排出する少なくとも一つの吐出口が形成された周壁を有するケースと、
上記羽根車と上記ケースの周壁との間に配置され、上記羽根車を取り囲むとともに上記発熱源との熱交換により加熱された液状冷媒が流れる冷媒通路と、
上記冷媒通路に熱的に接続され、上記羽根車と上記ケースの周壁との間に介在された複数の放熱フィンと、を具備したことを特徴とする冷却装置。
【請求項８】
発熱源に熱的に接続された受熱部を有するポンプと、
上記ポンプから吐き出される液状冷媒が流れる第１の管路と、
上記ポンプに液状冷媒を戻す第２の管路と、
上記第１の管路と上記第２の管路との間を接続する第３の管路と、
冷却風を吐き出す羽根車と、上記羽根車を取り囲むように配置されて上記冷却風を受ける複数の放熱フィンと、上記羽根車および上記放熱フィンを収容するとともに上記冷却風を排出する吐出口が形成されたケースとを有するファンと、を具備し、
上記第３の管路は、上記ケース内に収容されるとともに上記放熱フィンに熱的に接続されていることを特徴とする冷却装置。
【請求項９】
発熱源に熱的に接続された受熱部と、
上記受熱部での熱交換により加熱された液状冷媒が流れる第１の管路と、
上記液状冷媒を上記受熱部に戻す第２の管路と、
上記第１の管路と上記第２の管路との間を接続する第３の管路と、
上記第１の管路又は上記第２の管路に設けられ、液状冷媒を加圧して送り出すポンプと、
冷却風を吐き出す羽根車と、上記羽根車を取り囲むように配置されて上記冷却風を受ける複数の放熱フィンと、上記羽根車および上記放熱フィンを収容するとともに上記冷却風を排出する吐出口が形成されたケースとを有するファンと、を具備し、
上記第３の管路は、上記ケース内に収容されるとともに上記放熱フィンに熱的に接続されていることを特徴とする冷却装置。
【請求項１０】
発熱源を有するとともに、排気口が形成された筐体と、
上記筐体に収容され、液状冷媒を用いて上記発熱源を冷却する冷却装置と、を具備した電子機器であって、
上記冷却装置は、
上記発熱源に熱的に接続される受熱部と、
上記発熱源の熱を放出する放熱部と、
上記受熱部と上記放熱部との間で上記液状冷媒を循環させる循環経路と、を含み、
上記放熱部は、(1)冷却風を吐き出す羽根車と、(2)上記羽根車を取り囲むように配置され、上記発熱源との熱交換により加熱された液状冷媒が流れる冷媒通路と、この冷媒通路に熱的に接続された複数の放熱フィンとを有する放熱体と、(3)上記羽根車および上記放熱体を収容するとともに、上記放熱体を冷却した冷却風を排出する少なくとも一つの吐出口を有するケースと、を備えていることを特徴とする電子機器。
【請求項１１】
発熱源を有するとともに、排気口が形成された筐体と、
上記筐体に収容され、上記発熱源に熱的に接続された受熱部と、
上記筐体に収容され、上記発熱源の熱を放出する放熱部と、
上記受熱部と上記放熱部との間で液状冷媒を循環させる循環経路と、を具備した電子機器であって、
上記放熱部は、
(1)冷却風を吐き出す羽根車と、(2)上記羽根車を収容するとともに上記冷却風を排出する少なくとも一つの吐出口が形成された周壁を有するケースと、(3)上記羽根車と上記周壁との間に配置され、上記羽根車を取り囲むとともに上記発熱源との熱交換により加熱された液状冷媒が流れる冷媒通路と、(4)上記冷媒通路に熱的に接続され、上記羽根車と上記ケースの周壁との間に介在された複数の放熱フィンと、を備えていることを特徴とする電子機器。
【請求項１２】
発熱源を有するとともに、排気口が形成された筐体と、
上記筐体に収容され、上記発熱源に熱的に接続される受熱部を有するポンプと、
上記ポンプから吐き出される液状冷媒が流れる第１の管路と、
上記ポンプに液状冷媒を戻す第２の管路と、
上記第１の管路と上記第２の管路との間を接続する第３の管路と、
上記筐体に収容され、冷却風を吐き出す羽根車と、上記羽根車を取り囲むように配置されて上記冷却風を受ける複数の放熱フィンと、上記羽根車および上記放熱フィンを収容するとともに上記冷却風を排出する吐出口が形成されたケースとを有するファンと、を含んでおり、
上記第３の管路は、上記ファンのケースに収容されるとともに上記放熱フィンに熱的に接続されていることを特徴とする電子機器。
【請求項１３】
発熱源を有するとともに、排気口が形成された筐体と、
上記筐体に収容され、上記発熱源に熱的に接続された受熱部と、
上記受熱部での熱交換により加熱された液状冷媒が流れる第１の管路と、
上記液状冷媒を上記受熱部に戻す第２の管路と、
上記第１の管路と上記第２の管路との間を接続する第３の管路と、
上記第１の管路又は上記第２の管路に設けられ、上記液状冷媒を加圧して送り出すポンプと、
上記筐体に収容され、冷却風を吐き出す羽根車と、上記羽根車を取り囲むように配置されて上記冷却風を受ける複数の放熱フィンと、上記羽根車および上記放熱フィンを収容するとともに上記冷却風を排出する吐出口が形成されたケースとを有するファンと、を含んでおり、
上記第３の管路は、上記ファンのケースに収容されるとともに上記放熱フィンに熱的に接続されていることを特徴とする電子機器。
【請求項１４】
排気口を有する筐体と、
上記筐体に収容された発熱源と、
上記筐体に収容され、上記受熱部に熱的に接続された受熱部と、
上記受熱部での熱交換により加熱された液状冷媒が流れる第１の管路と、
上記受熱部に液状冷媒を戻す第２の管路と、
上記筐体に収容されたファンと、を具備し、
上記ファンは、冷却風を吐き出す羽根車と、上記羽根車を取り囲むように配置され、上記第１の管路と上記第２の管路との間を接続する第３の管路と、上記第３の管路に熱的に接続された複数の放熱フィンと、上記羽根車、上記第３の管路および上記放熱フィンを収容するケースとを含み、
上記ケースは、上記筐体の排気口に冷却風を導く吐出口を有し、上記第３の管路は、加熱された液状冷媒が上記第１の管路を通じて最初に流れ込む領域を有するとともに、この領域が上記ケース内で上記吐出口と向かい合うことを特徴とする電子機器。